(57)【要約】【課題】所定の目地幅と目地における止水性との双方を確保することができる乾式の目地仕上げ材およびプレセット建材を提供すること。【解決手段】タイル材１０どうしで乾式の目地仕上げ材２０のスペーサ部２１を挟み込むだけで、これらのタイル材１０どうしの間の目地幅をスペーサ部２１の一定とされた隣接方向の幅とすることができる。また、目地仕上げ材２０がタイル材１０どうしで挟み込まれると、第１タイル材１１に密着して固定されている基部２１１と一体のリップ２２は、第２タイル材１２に接触した状態で、第２タイル材１２を押圧する力の反力で弾性変形して格納領域２３に進入する。リップ２２は、このときに生じる弾性復帰力で第２タイル材１２に圧接し、これにより、第２タイル材１２に密着する。したがって、目地仕上げ材２０は、タイル材１０どうしの間の目地３０を止水することができる。【選択図】        図２
2012144842.tif 000002
【特許請求の範囲】
【請求項１】
隣り合って配置される第１建材と第２建材との間に形成される隙間である目地に配置される乾式の目地仕上げ材であって、
前記第１建材の側面と対向した状態で前記第１建材の側面に沿って密着して固定されうる端面である固定端面を有する基部、および、前記基部のうち前記目地仕上げ材の表側から裏側に向かう方向である厚さ方向において前記目地仕上げ材の表側の端部から前記第１建材と前記第２建材とが隣り合う方向である隣接方向において前記第２建材側に延設され、前記第２建材の側面と対向する先端部を有し、前記基部の前記固定端面と前記先端部の前記第２建材の側面と対向する端面との間の距離が前記基部の前記第１建材の側面に沿う方向である沿側面方向に一定に形成されているスペーサ部と、
弾性変形可能であり、一端部が前記基部のうち前記隣接方向において前記固定端面と反対側に形成されている側面であって前記厚さ方向において前記先端部よりも前記目地仕上げ材の裏側の部分に前記先端部と離間して一体に設けられている止水部と、
を備え、
前記止水部は、
外力が付与されていない場合に、他端部が前記厚さ方向において前記一端部よりも前記目地仕上げ材の表側に位置するとともに、前記隣接方向において前記スペーサ部の前記先端部よりも前記第２建材側に突出しており、
前記第２建材の側面と接触して当該第２建材の側面から押圧力が付与された場合に、弾性変形し、前記スペーサ部の前記先端部と前記第２建材の側面とが接触したときには、前記第２建材の側面と接触した状態で前記スペーサ部と前記第２建材の側面とによって囲まれる領域である格納領域に収められる
ことを特徴とする乾式の目地仕上げ材。
【請求項２】
前記スペーサ部の前記先端部のうち前記厚さ方向において前記目地仕上げ材の裏側の面は、前記先端部の前記第２建材の側面と対向する端面と、前記第２建材の側面とが前記隣接方向に近付いて接触する際に、前記弾性変形している止水部と当接することで当該止水部を前記格納領域に案内する案内面を有している
ことを特徴とする請求項１に記載の乾式の目地仕上げ材。
【請求項３】
請求項１あるいは２に記載の乾式の目地仕上げ材と、
隣り合って配置される建材のうちの１つと、
を備え、
前記乾式の目地仕上げ材の前記基部の前記固定端面が前記１つの建材の側面と対向した状態で当該側面に沿って密着して固定されている
ことを特徴とするプレセット建材。
【発明の詳細な説明】
【技術分野】
【０００１】
本発明は、隣り合って配置される建材どうしの隙間に配置される乾式の目地仕上げ材、および、当該乾式の目地仕上げ材が固定されている建材であるプレセット建材に関するものである。
【背景技術】
【０００２】
従来より、隣り合って配置される、例えばタイルなどの建材どうしの隙間である目地に配置される乾式の目地仕上げ材が提案されている（例えば、特許文献１〜４）。
【０００３】
特許文献１には、化粧合成樹脂層が形成されている目地材が開示されている。また、特許文献２には、軟質ゴムからなる目地板および中空の舌片を備えた乾式目地ジョイナーが開示されている。また、特許文献２には、軟質塩化ビニル樹脂の押し出し成形品にてなる目地板、および、弾性体からなる中空の舌片を備えた乾式目地ジョイナーも開示されている。また、特許文献３には、ＴＰＥ樹脂またはＥＰＤＭゴムで形成された建物用の目地材が開示されている。また、特許文献４には、ゴムまたはゴム様弾性体よりなる定型ガスケットが開示されている。
【先行技術文献】
【特許文献】
【０００４】
【特許文献１】実開昭６３−１６９６０３号公報
【特許文献２】実開平２−１４１００４号公報
【特許文献３】特開２０１０−１２７３８号公報
【特許文献４】特開平５−１４８９１４号公報
【発明の概要】
【発明が解決しようとする課題】
【０００５】
一般に、乾式の目地仕上げ材としては、建材の例えばコバ面などの側面との間で隙間が形成されることを防止するとともに、目地における止水性を確保するために、発泡材料や弾性材料などの軟質材料から形成されたものがある。また、乾式の目地仕上げ材として、隣り合って配置される建材どうしで挟み込まれた状態でこれらの建材とともに配列されるだけで簡易的に所定の目地幅を確保するために、当該隣り合って配置される建材どうしで挟み込まれても比較的変形しにくい硬質材料から形成されたものもある。
【０００６】
しかしながら、これらの乾式の目地仕上げ材は、目地における止水性の確保、あるいは、所定の目地幅の確保のいずれか一方であれば可能であるが、両立することは難しい。
【０００７】
本発明は、上記に鑑みてなされたものであって、所定の目地幅と目地における止水性との双方を確保することができる乾式の目地仕上げ材およびプレセット建材を得ることを目的とする。
【課題を解決するための手段】
【０００８】
上述した課題を解決し、目的を達成するために、本発明に係る乾式の目地仕上げ材は、隣り合って配置される第１建材と第２建材との間に形成される隙間である目地に配置される乾式の目地仕上げ材であって、前記第１建材の側面と対向した状態で前記第１建材の側面に沿って密着して固定されうる端面である固定端面を有する基部、および、前記基部のうち前記目地仕上げ材の表側から裏側に向かう方向である厚さ方向において前記目地仕上げ材の表側の端部から前記第１建材と前記第２建材とが隣り合う方向である隣接方向において前記第２建材側に延設され、前記第２建材の側面と対向する先端部を有し、前記基部の前記固定端面と前記先端部の前記第２建材の側面と対向する端面との間の距離が前記基部の前記第１建材の側面に沿う方向である沿側面方向に一定に形成されているスペーサ部と、弾性変形可能であり、一端部が前記基部のうち前記隣接方向において前記固定端面と反対側に形成されている側面であって前記厚さ方向において前記先端部よりも前記目地仕上げ材の裏側の部分に前記先端部と離間して一体に設けられている止水部と、を備え、前記止水部は、外力が付与されていない場合に、他端部が前記厚さ方向において前記一端部よりも前記目地仕上げ材の表側に位置するとともに、前記隣接方向において前記スペーサ部の前記先端部よりも前記第２建材側に突出しており、前記第２建材の側面と接触して当該第２建材の側面から押圧力が付与された場合に、弾性変形し、前記スペーサ部の前記先端部と前記第２建材の側面とが接触したときには、前記第２建材の側面と接触した状態で前記スペーサ部と前記第２建材の側面とによって囲まれる領域である格納領域に収められることを特徴としている。
【０００９】
また、上記乾式の目地仕上げ材において、前記スペーサ部の前記先端部のうち前記厚さ方向において前記目地仕上げ材の裏側の面は、前記先端部の前記第２建材の側面と対向する端面と、前記第２建材の側面とが前記隣接方向に近付いて接触する際に、前記弾性変形している止水部と当接することで当該止水部を前記格納領域に案内する案内面を有していることが好ましい。
【００１０】
また、本発明に係るプレセット建材は、上記の乾式の目地仕上げ材と、隣り合って配置される建材のうちの１つと、を備え、前記乾式の目地仕上げ材の前記基部の前記固定端面が前記１つの建材の側面と対向した状態で当該側面に沿って密着して固定されていることを特徴としている。
【発明の効果】
【００１１】
乾式の目地仕上げ材を間に挟んで第１建材と第２建材とを隣り合わせるように配置する施工を行う際には、隣り合って配置される第１建材と第２建材とで乾式の目地仕上げ材のスペーサ部を挟み込むだけで、第１建材と第２建材との間の目地幅をスペーサ部の一定に形成された隣接方向の幅とすることができるという効果を奏する。つまり、本願発明は、所定の目地幅を確保することができるという効果を奏する。
【００１２】
また、乾式の目地仕上げ材が隣り合って配置される第１建材と第２建材とで挟み込まれると、第１建材の側面に対向した状態で密着して固定されている乾式の目地仕上げ材の止水部が第２建材の側面に接触し、第２建材の側面を押圧する力の反力で弾性変形して格納領域に進入する。止水部は、このときに生じる弾性復帰力で第２建材の側面に圧接し、これにより、第２建材に密着する。したがって、乾式の目地仕上げ材は、第１建材と第２建材との間の目地を止水することができるという効果を奏する。つまり、本願発明は、目地における止水性を確保することができるという効果を奏する。また、乾式の目地仕上げ材が第１建材と第２建材とに挟み込まれた状態である場合において、スペーサ部と止水部との間に水が入り込んでしまったときには、止水部は、この水の自重により格納領域に進入する方向と反対側に変形しようとするので、第２建材の側面に対する圧接力を大きくする。これにより、止水部の第２建材に対する密着力が高められる。したがって、乾式の目地仕上げ材は、第１建材と第２建材とに挟み込まれた状態である場合において、スペーサ部と止水部との間に水が入り込んでしまったときには、第１建材と第２建材との間の目地に対する止水性をより一層向上させることができるという効果を奏する。
【００１３】
以上のように、本願発明は、所定の目地幅と目地における止水性との双方を確保することができるという効果を奏する。
【図面の簡単な説明】
【００１４】
【図１】図１は、実施の形態１に係る乾式の目地仕上げ材および建材の概略を示す側断面図である。
【図２】図２は、プレセット建材の概略を示す側断面図である。
【図３】図３は、プレセット建材の動作状態を示す側断面図である。
【図４】図４は、実施の形態２に係るプレセット建材の概略を示す側断面図である。
【図５】図５は、プレセット建材の動作状態を示す側断面図である。
【図６】図６は、プレセット建材の他の動作状態を示す側断面図である。
【発明を実施するための形態】
【００１５】
以下に、本発明に係る乾式の目地仕上げ材およびプレセット建材の実施の形態を図面に基づいて詳細に説明する。なお、以下の各実施の形態によりこの発明が限定されるものではない。
【００１６】
〔実施の形態１〕
以下、実施の形態１に係る乾式の目地仕上げ材およびプレセット建材について説明する。図１は、実施の形態１に係る乾式の目地仕上げ材および建材の概略を示す側断面図である。図２は、プレセット建材の概略を示す側断面図である。図３は、プレセット建材の動作を示す側断面図である。プレセット建材１−１は、壁面や床面などに敷設されるものである。プレセット建材１−１は、タイル材１０と、乾式の目地仕上げ材２０と、を備えており、密着固定材ｆにより目地仕上げ材２０の後述の基部２１１の固定端面２１１ａが１つのタイル材１０の後述の側面１０ａと対向した状態でこの側面１０ａに沿って密着して固定されているものである。密着固定材ｆは、例えばシール材である両面粘着テープあるいは接着剤などの固定手段であり、タイル材１０の側面１０ａに沿って当該側面１０ａ上に薄肉に直接形成されるものである。以下、乾式の目地仕上げ材２０を２枚のタイル材１０の間に形成される隙間である目地３０に配置する場合を例に挙げて説明する。また、以下、乾式の目地仕上げ材２０を単に目地仕上げ材２０と称する。なお、図２〜３では、図示の簡略化のため、密着固定材ｆを省略して図示している。
【００１７】
タイル材１０は、正面視で例えば正方形状とされた板状の建材である。タイル材１０の側面１０ａは、隣り合って配列されるタイル材１０どうしの間で互いに対向する側面であり、例えばコバ面などの側面をいう。以下、説明の都合上、必要に応じて、隣り合って配置される一対のタイル材１０のうち一方のタイル材１０を第１タイル材１１と称し、他方のタイル材１０を第２タイル材１２と称する。ここで、第１タイル材１１は、第１建材である。また、第２タイル材１２は、第２建材である。また、図１〜３において、符号「１０ｂ」は、タイル材１０の外部に露出する表側の面である表面を示している。また、符号「１０ｃ」は、タイル材１０の表面１０ｂに対して裏側の面である裏面を示している。
【００１８】
目地仕上げ材２０は、隣り合って配置されるタイル材１０、実施の形態１では、第１タイル材１１と第２タイル材１２との間の目地３０に配置されるものである。目地仕上げ材２０は、実施の形態１では、単一の弾性材から成るものであり、隣り合って配置されるタイル材１０どうしで挟み込まれても比較的変形しにくい硬質材料から形成されたものとされている。目地仕上げ材２０は、スペーサ部２１と、リップ２２とを備えている。
【００１９】
スペーサ部２１は、隣り合うタイル材１０どうしの目地幅を一定にするためのものである。ここでいう一定とは、隣り合うタイル材１０どうしの目地幅が沿側面方向に厳密に一定であることのみならず、例えばスペーサ部２１の製造誤差などによる隣接方向の寸法のバラツキによって目地幅が沿側面方向にほぼ一定となる場合も含まれる。スペーサ部２１は、基部２１１および先端部２１２を有している。
【００２０】
基部２１１は、目地仕上げ材２０を第１タイル材１１に固定するためのものである。基部２１１は、第１タイル材１１の側面１１１に沿う形状に形成されており、固定端面２１１ａを有している。固定端面２１１ａとは、第１タイル材１１の側面１１１と対向した状態でこの側面１１１に沿って密着して固定されうる端面である。つまり、基部２１１は、固定端面２１１ａが第１タイル材１１の側面１１１と対向した状態でこの側面１１１に沿って密着して固定されると、第１タイル材１１の側面１１１に延在するものであり、第１タイル材１１の側面１１１に固定された状態で第１タイル材１１の側面１１１と平行な方向である沿側面方向に延出するものである。実施の形態１では、基部２１１は、図２における側面視で断面が隣接方向よりも厚さ方向に長い長方形状に形成されている。ここでいう隣接方向とは、第１タイル材１１と第２タイル材１２とが隣り合う方向である。また、厚さ方向とは、図２における側面視で目地仕上げ材２０の表側から裏側に向かう方向である。基部２１１は、予め第１タイル材１１の側面１１１に沿って形成された密着固定材ｆにより、第１タイル材１１の側面１１１と対向する固定端面２１１ａが第１タイル材１１の側面１１１に密着して固定されるものである。つまり、基部２１１の固定端面２１１ａは、第１タイル材１１の側面１１１と目地仕上げ材２０の固定端面２１１ａとの間に介在させた密着固定材ｆにより、この側面１１１と対向した状態で第１タイル材１１の側面１１１に沿って密着して固定されるものである。固定端面２１１ａは、基部２１１の内側面２１１ｄよりも面積が大きく形成されており、目地仕上げ材２０の側面のうち最大面積を有する部分とされている。ここでいう内側面２１１ｄとは、スペーサ部２１の基部２１１のうち隣接方向において固定端面２１１ａと反対側に形成されている側面である。
【００２１】
先端部２１２は、目地仕上げ材２０を第１タイル材１１と第２タイル材１２との間の目地３０に配置する場合に、第１タイル材１１の側面１１１に対する第２タイル材１２の側面１２１の隣接方向の位置決めを行うためのものである。先端部２１２は、基部２１１のうち厚さ方向、言い換えれば、目地仕上げ材２０の固定端面２１１ａが第１タイル材１１の側面１１１に固定されている状態で第１タイル材１１の表側の面である表面１１２と裏側の面である裏面１１３とが対向する方向において目地仕上げ材２０の表側の端部２１１ｂから隣接方向において第２タイル材１２側に延設された部分、すなわち、スペーサ部２１のうち隣接方向に第２タイル材１２側に突出した部分であり、目地仕上げ材２０を第１タイル材１１と第２タイル材１２との間の目地３０に配置する場合に、第２タイル材１２の側面１２１と対向するものである。
【００２２】
スペーサ部２１は、隣接方向における基部２１１の固定端面２１１ａと、先端部２１２の対向端面２１２ａとの間の距離が沿側面方向、言い換えれば、基部２１１の第１タイル材１１の側面１１１に沿う方向に一定に形成されている。ここでいう先端部２１２の対向端面２１２ａとは、先端部２１２の第２タイル材１２の側面１２１と対向する端面である。スペーサ部２１は、実施の形態１では、図２における側面視で断面が略逆Ｌ字状に形成されている。スペーサ部２１は、隣接方向の固定端面２１１ａおよび対向端面２１２ａがそれぞれ第１タイル材１１の側面１１１、第２タイル材１２の側面１２１に接触することで、隣接方向に第１タイル材１１および第２タイル材１２と干渉し、第１タイル材１１と第２タイル材１２との間の目地幅をスペーサ部２１の一定に形成された隣接方向の幅に合わせるものである。
【００２３】
なお、符号「２１ａ」は、スペーサ部２１の外部に露出する表側の面である表面を示している。また、符号「２１ｂ」は、スペーサ部２１の表面２１ａに対して裏側の面である裏面を示している。
【００２４】
リップ２２は、止水部である。リップ２２は、一対のタイル材１０どうしの間、実施の形態１では、第１タイル材１１と第２タイル材１２との間の目地３０を止水するものである。ここでいう止水とは、一対のタイル材１０どうしの間、すなわち、目地３０において、タイル材１０の表面１０ｂ側から裏面１０ｃ側への漏水を阻止することをいう。リップ２２は、側面視で断面が略長方形状に形成されている。リップ２２は、側面視で長手方向の一端部２２ａがスペーサ部２１の基部２１１のうち内側面２１１ｄであって、厚さ方向においてスペーサ部２１の先端部２１２よりも目地仕上げ材２０の裏側の部分に先端部２１２と離間して一体に設けられている。実施の形態１では、リップ２２は、側面視で長手方向の一端部２２ａがスペーサ部２１の基部２１１のうち厚さ方向においてスペーサ部２１の端部２１１ｂと反対側の端部２１１ｃに一体に設けられている。リップ２２は、スペーサ部２１の基部２１１の端部２１１ｃから、隣接方向において第２タイル材１２に近付くに伴い厚さ方向における位置がスペーサ部２１の先端部２１２の厚さ方向における位置に近付く方向に延出している。リップ２２は、側面視で長手方向の他端部２２ｂが隣接方向においてスペーサ部２１の先端部２１２よりも第２タイル材１２側に突出している。
【００２５】
リップ２２は、一端部２２ａが側面視において、図２における断面の短手方向に薄肉とされており、この一端部２２ａを基点として容易に弾性変形可能である。また、リップ２２の側面視での長手方向の長さは、一端部２２ａから他端部２２ｂまでの距離が一端部２２ａからスペーサ部２１の先端部２１２までの最短距離よりも小さく形成されている。リップ２２は、外力が付与されていない場合には、他端部２２ｂが厚さ方向において一端部２２ａよりも目地仕上げ材２０の表側に位置するとともに、隣接方向においてスペーサ部２１の先端部２１２よりも第２タイル材１２側に突出している。リップ２２は、第２タイル材１２の側面１２１と接触してこの側面１２１から押圧力が付与された場合に、一端部２２ａを基点として弾性変形し、スペーサ部２１の先端部２１２の対向端面２１２ａと第２タイル材１２の側面１２１とが接触したときには、第２タイル材１２の側面１２１と接触した状態で格納領域２３に収められる。ここでいう格納領域２３とは、スペーサ部２１と第２タイル材１２の側面１２１とによって囲まれる領域であり、隣接方向の範囲を示すものである。
【００２６】
実施の形態１では、タイル材１０の厚さは、例えば、３〜１５［ｍｍ］、好ましくは４〜１０［ｍｍ］とされている。また、実施の形態１では、目地仕上げ材２０の厚さは、タイル材１０と比較して若干薄いものとされ、例えば、２〜１４［ｍｍ］、好ましくは３〜９［ｍｍ］とされている。また、実施の形態１では、目地仕上げ材２０の幅は、例えば、２〜１０［ｍｍ］、好ましくは２〜５［ｍｍ］とされている。ここでいうタイル材１０あるいは目地仕上げ材２０の厚さとは、タイル材１０あるいは目地仕上げ材２０の厚さ方向における寸法である。また、目地仕上げ材２０の幅とは、目地仕上げ材２０の隣接方向における寸法である。
【００２７】
なお、図１〜３において、符号「ｓ」で示される部材は、シート材であり、タイル材１０の裏面１０ｃが接着されるとともに、目地仕上げ材２０をタイル材１０に固定する際に、目地仕上げ材２０の厚さ方向の位置決めをするためのものである。
【００２８】
次に、実施の形態１のプレセット建材１−１の動作について説明する。
【００２９】
目地仕上げ材２０を間に挟んで一対のタイル材１０どうしを隣り合うように配置する施工である建材配置施工、実施の形態１では、プレセット建材１−１どうしを隣接して配置する施工を行う際には、まず、目地仕上げ材２０が密着して固定されている第１タイル材１１の側面１１１と、第２タイル材１２の側面１２１とを、互いに対向するように配置する。次に、第１タイル材１１の側面１１１と第２タイル材１２の側面１２１とが互いに対向している状態で、これらの第１タイル材１１と第２タイル材１２とを隣接方向に互いに近付ける。目地仕上げ材２０のリップ２２が第２タイル材１２の側面１２１を押圧すると、リップ２２は、第２タイル材１２の側面１２１を押圧する力の反力で一端部２２ａを基点として弾性変形し、この反力に抗しながら一端部２２ａを中心として基部２１１側に回動し、格納領域２３に進入する。さらに、第１タイル材１１と第２タイル材１２とを隣接方向に互いに近付けて行き、第２タイル材１２の側面１２１が目地仕上げ材２０のスペーサ部２１の先端部２１２の対向端面２１２ａに当接すると、目地仕上げ材２０のスペーサ部２１と第２タイル材１２とが干渉し、第２タイル材１２の第１タイル材１１側への移動が規制される。すなわち、隣り合う一対のタイル材１０どうしで目地仕上げ材２０のスペーサ部２１を挟み込むだけで、当該一対のタイル材１０どうしの目地幅をスペーサ部２１の一定に形成された隣接方向の幅とすることができる。つまり、プレセット建材１−１は、所定の目地幅を確保することができる。また、建材配置施工時において、隣り合う一対のタイル材１０どうしで目地仕上げ材２０のスペーサ部２１を挟み込むだけで、当該一対のタイル材１０どうしの目地幅をスペーサ部２１の一定に形成された隣接方向の幅に合わせることができるので、隣り合う一対のタイル材１０どうしの目地幅の調整を簡略化することができる。
【００３０】
また、第１タイル材１１と第２タイル材１２とを隣接方向に互いに近付けて行き、リップ２２がスペーサ部２１とともに第１タイル材１１の側面１１１と第２タイル材１２の側面１２１とに挟み込まれた際、リップ２２は、第２タイル材１２の側面１２１を押圧する力の反力により弾性変形し、その復帰力で第２タイル材１２の側面１２１に圧接する。すなわち、第１タイル材１１と第２タイル材１２とを隣接方向に互いに近付けて行き、目地仕上げ材２０のスペーサ部２１が隣り合うタイル材１０どうしで挟み込まれると、より具体的に述べれば、目地仕上げ材２０のスペーサ部２１が第１タイル材１１の側面１１１と第２タイル材１２の側面１２１とで挟み込まれると、第１タイル材１１の側面１２１に対向した状態で密着して固定されている目地仕上げ材２０のスペーサ部２１と一体のリップ２２は、第２タイル材１２の側面１２１に接触した状態で、第２タイル材１２の側面１２１を押圧する力の反力で一端部２２ａを基点として弾性変形して格納領域２３に進入し、このときに生じる弾性復帰力で第２タイル材１２の側面１２１に圧接する。これにより、リップ２２は、スペーサ部２１とともに第１タイル材１１の側面１１１と第２タイル材１２の側面１２１とに挟み込まれた際に第２タイル材１２の側面１２１に密着する。したがって、プレセット建材１−１は、目地仕上げ材２０により第１タイル材１１と第２タイル材１２との間の目地３０を止水することができる。つまり、プレセット建材１−１は、目地３０における止水性を確保することができる。
【００３１】
以上のように、プレセット建材１−１は、所定の目地幅と目地３０における止水性との双方を確保することができる。
【００３２】
また、目地仕上げ材２０が第１タイル材１１の側面１１１と第２タイル材１２の側面１２１とに挟み込まれた状態である場合において、スペーサ部２１と、格納領域２３に進入しているリップ２２との間に水が入り込んでしまったときには、リップ２２は、この水の自重により格納領域２３に進入する方向と反対側に変形しようとするので、第２タイル材１２の側面１２１に対する圧接力を大きくする。これにより、リップ２２の第２タイル材１２の側面１２１に対する密着力が高められる。したがって、目地仕上げ材２０は、第１タイル材１１の側面１１１と第２タイル材１２の側面１２１とに挟み込まれた状態である場合において、スペーサ部２１と、格納領域２３に進入しているリップ２２との間に水が入り込んでしまったときには、第１タイル材１１と第２タイル材１２との間の目地３０に対する止水性をより一層向上させることができる。
【００３３】
ここで、仮に、リップ２２の側面視での短手方向の肉厚が一端部２２ａも含めて全体的に均一である場合や、リップ２２の側面視での短手方向の肉厚が他端部２２ｂを除いた部分で均一であって、他端部２２ｂのみが他の部分よりも薄くなっている場合などのように、リップ２２の側面視での短手方向において一端部２２ａが薄肉でない場合には、基部２１１に接続されているリップ２２の一端部２２ａは、スペーサ部２１と格納領域２３に進入しているリップ２２との間に入り込んでしまった水の重力を受けても、この水の重力による弾性変形がしにくいものとなる。このため、リップ２２の一端部２２ａがスペーサ部２１と格納領域２３に進入しているリップ２２との間に入り込んでしまった水の重力を受けて弾性変形したとしてもその変形量は小さく、これにより、リップ２２の第２タイル材１２の側面１２１に対する押圧力は、小さなものとなる。
【００３４】
この点、実施の形態１では、リップ２２の一端部２２ａがリップ２２の側面視での短手方向において薄肉とされることでヒンジ構造としての機能を持っているため、スペーサ部２１と格納領域２３に進入しているリップ２２との間に水が入り込んでしまった場合に、リップ２２は、一端部２２ａがこの水の重力を受けて容易に弾性変形することができる。したがって、リップ２２は、スペーサ部２１と格納領域２３に進入しているリップ２２との間に入り込んでしまった水による弾性変形量が大きくなり、これにより、第２タイル材１２の側面１２１に対する押圧力を大きくすることができる。したがって、リップ２２の第２タイル材１２の側面１２１に対する密着力を高めることができ、プレセット建材１−１の目地３０における止水性を向上させることができる。
【００３５】
また、目地仕上げ材２０が第１タイル材１１の側面１１１に密着した状態で予め固定されているので、例えば、建材配置施工を行う際には、目地仕上げ材２０を予め柱などに打ち付けておくといった作業を不要にすることができる。
【００３６】
また、互いに対向する一対のタイル材１０どうしの隙間間隔を一定にするためのスペーサ部２１の表面２１ａがそのまま目地仕上げ材２０の表側の面を形成するので、建材配置施工後では、目地３０における目地仕上げ材２０の外観の仕上がりを良好なものにすることができる。すなわち、目地幅を規定するスペーサ部２１の表面２１ａがそのまま目地仕上げ材２０の外観を成す意匠面となるので、建材配置施工後では、目地３０における目地仕上げ材２０の見栄えを良好なものにすることができる。
【００３７】
また、目地仕上げ材２０は、単一の弾性材から成るものであることから、スペーサ部２１とリップ２２とを、例えば押出成形などの加工方法により単一の材料で形成することができる。このため、目地仕上げ材２０の成形性を良好にすることができる。
【００３８】
また、目地仕上げ材２０は、第１タイル材１１の側面１１１に沿った目地仕上げ材２０の最大面積を有する固定端面２１１ａにおいて基部２１１を密着して固定させ、基部２１１のうち目地仕上げ材２０の表側の端部２１１ｂに第２タイル材１２側へ突出する先端部２１２を設け、基部２１１のうち目地仕上げ材２０の裏側の端部２１１ｃに第２タイル材１２側へ突出するリップ２２を設ける構成としている。このため、実施の形態１のように小さな目地仕上げ材２０であっても、スペーサ機能と止水機能とを併せ持たせることができる。また、目地仕上げ材２０は、上記のような構成なので、実施の形態１のように大きさを小さくすることができる。
【００３９】
〔実施の形態２〕
次に、実施の形態２に係る乾式目地部材およびプレセット建材について説明する。図４は、実施の形態２に係るプレセット建材の概略を示す側断面図である。図５は、プレセット建材の動作状態を示す側断面図である。図６は、プレセット建材の他の動作状態を示す側断面図である。実施の形態２に係るプレセット建材１−２は、スペーサ部２１の先端部２１２にスペーサ傾斜面２１ｃを設けるとともに、リップ２２の他端部２２ｂにリップ傾斜面２２ｃを設けておくことで、リップ２２が第２タイル材１２の側面１２１を押圧した力の反力によりリップ２２の一端部２２ａを中心として基部２１１側に回動しながら格納領域２３に進入する際に、リップ２２が格納領域２３に収まることを容易にする点に特徴がある。この他、実施の形態２に係るプレセット建材１−２は、実施の形態１に係るプレセット建材１−１と基本的構成が同一であるので、その説明を省略する。
【００４０】
プレセット建材１−２の目地仕上げ材２０は、スペーサ部２１の先端部２１２が第２タイル材１２の側面１２１と接触している場合に、スペーサ部２１の先端部２１２とリップ２２の他端部２２ｂとが、図４において、スペーサ部２１の先端部２１２の裏面２１ｂの下端よりも上方で接触するものである。
【００４１】
実施の形態２のプレセット建材１−２は、スペーサ部２１の先端部２１２のうち厚さ方向において目地仕上げ材２０の裏側の面である裏面２１ｂがスペーサ傾斜面２１ｃを有するものである。具体的には、プレセット建材１−２は、隣接方向において、スペーサ部２１の先端部２１２のうち基部２１１と反対側にある部分、すなわち対向端面２１２ａ側の部分がスペーサ傾斜面２１ｃを有するものである。スペーサ傾斜面２１ｃは、案内面である。スペーサ傾斜面２１ｃは、スペーサ部２１の先端部２１２のうち厚さ方向において対向端面２１２ａよりも目地仕上げ材２０の裏側の部分、すなわち図４において下方に形成されている。ここでいうスペーサ傾斜面２１ｃとは、スペーサ部２１の先端部２１２の裏面２１ｂにおいて、隣接方向に基部２１１から離れるに伴い厚さ方向においてスペーサ部２１の表面２１ａに近付く形状の傾斜面である。つまり、実施の形態２のスペーサ部２１の先端部２１２は、側面視で、厚さ方向において、隣接方向の基部２１１からスペーサ傾斜面２１ｃまでの長さが裏面２１ｂから表面２１ａ側に向かうに伴い増加する形状とされている。スペーサ傾斜面２１ｃは、先端部２１２の対向端面２１２ａと、第２タイル材１２の側面１２１とが隣接方向に近付いて接触する際に、第２タイル材１２の側面１２１からの押圧力を受けて弾性変形しているリップ２２と干渉してしまった場合、このリップ２２と当接することで当該リップ２２を格納領域２３に案内するものである。
【００４２】
また、実施の形態２のプレセット建材１−２は、リップ２２の他端部２２ｂがリップ傾斜面２２ｃを有するものである。ここでいうリップ傾斜面２２ｃとは、リップ２２が第２タイル材１２の側面１２１に接触することで隣接方向におけるスペーサ傾斜面２１ｃの位置と同じ位置まで格納領域２３に進入した場合に、スペーサ傾斜面２１ｃと対向した状態で当該スペーサ傾斜面２１ｃに当接することで、リップ２２が格納領域２３にさらに進入することを規制する斜面である。つまり、リップ傾斜面２２ｃは、スペーサ部２１のスペーサ傾斜面２１ｃと当接し、干渉することで、リップ２２が第２タイル材１２の側面１２１を押圧した力の反力により基部２１１側に回動することを規制する斜面である。実施の形態２では、リップ２２は、側面視での長手方向の長さが厚さ方向におけるスペーサ部２１の先端部２１２と一端部２２ａとの間の距離である回動許容基準寸法よりも長いものとされており、一端部２２ａを基準として、この回動許容基準寸法よりも長い部分にリップ傾斜面２２ｃが形成されている。実施の形態２のリップ２２は、側面視で、一端部２２ａを中心として基部２１１側に回動する方向において、長手方向の長さが基部２１１側から第２タイル材１２の側面１２１側に向かうに伴い増加する形状とされている。
【００４３】
実施の形態２のプレセット建材１−２では、建材配置施工を行う際、第１タイル材１１と第２タイル材１２とを隣接方向に互いに近付けて行き、リップ２２が第２タイル材１２の側面１２１を押圧すると、リップ２２は、その押圧した力の反力により一端部２２ａを基点として弾性変形し、この反力に抗しながら一端部２２ａを中心として基部２１１側に回動し、格納領域２３に進入する。この点は、実施の形態１と同様である。
【００４４】
ここで、実施の形態２では、スペーサ部２１の先端部２１２が側面視で、厚さ方向において、隣接方向の基部２１１からスペーサ傾斜面２１ｃまでの長さが裏面２１ｂから表面２１ａ側に向かうに伴い増加する形状とされているとともに、リップ２２が側面視で、一端部２２ａを中心として基部２１１側に回動する方向において、長手方向の長さが基部２１１側から第２タイル材１２の側面１２１側に向かうに伴い増加する形状とされているので、スペーサ部２１の先端部２１２の対向端面２１２ａと第２タイル材１２の側面１２１とが接触する直前であっても、リップ２２は、リップ傾斜面２２ｃがスペーサ部２１の先端部２１２のスペーサ傾斜面２１ｃと当接しない場合には、一端部２２ａを中心として基部２１１側に容易に回動することができる。つまり、リップ２２が格納領域２３に収まることが容易となる。これにより、図５において上方から下方に向けて見た場合に、目地仕上げ材２０と第２タイル材１２の側面１２１とのつなぎ目をきれいに仕上げることができる。
【００４５】
また、実施の形態２では、先端部２１２の対向端面２１２ａと、第２タイル材１２の側面１２１とが隣接方向に近付いて接触する際に、第２タイル材１２の側面１２１からの押圧力を受けて弾性変形し基部２１１側に回動しているリップ２２のリップ傾斜面２２ｃがスペーサ部２１のスペーサ傾斜面２１ｃと当接した場合には、リップ２２は、そのリップ傾斜面２２ｃがスペーサ部２１のスペーサ傾斜面２１ｃと当接しながら、格納領域２３に案内される。つまり、先端部２１２の対向端面２１２ａと、第２タイル材１２の側面１２１とが隣接方向に近付いて接触する際に、第２タイル材１２の側面１２１からの押圧力を受けて弾性変形し基部２１１側に回動しているリップ２２のリップ傾斜面２２ｃがスペーサ部２１のスペーサ傾斜面２１ｃと当接した場合には、リップ２２は、スペーサ部２１のスペーサ傾斜面２１ｃにより格納領域２３に案内される。したがって、この点でも、リップ２２が格納領域２３に収まることが容易となり、図５において上方から下方に向けて見た場合に、目地仕上げ材２０と第２タイル材１２の側面１２１とのつなぎ目をきれいに仕上げることができる。
【００４６】
また、実施の形態２では、上述のように、スペーサ部２１の先端部２１２のうち基部２１１と反対側にある部分、すなわち対向端面２１２ａ側の部分がスペーサ傾斜面２１ｃを有するものである。すなわち、実施の形態２のスペーサ部２１の先端部２１２を実施の形態１のスペーサ部２１の先端部２１２と比較してみると、実施の形態２のスペーサ部２１の先端部２１２は、実施の形態１の先端部２１２のうち図１〜３における側面図での右下部分に相当する部分が切り欠かれた形状となっているので、実施の形態２のリップ２２を、他端部２２ｂが図４〜６における側面図でのスペーサ部２１の先端部２１２の下端よりも上側にまで延在した形状にすることができる。
【００４７】
このため、実施の形態２では、図６に示すように、建材配置施工後において、先端部２１２の対向端面２１２ａと第２タイル材１２の側面１２１との間に隙間が生じている箇所では、リップ２２の他端部２２ｂが図４〜６における側面図でのスペーサ部２１の先端部２１２の下端よりも上側に位置し、目地仕上げ材２０を図６における上方から見て、リップ２２のリップ傾斜面２２ｃのうち、一端部２２ａを中心として回動する方向において第２タイル材１２の側面１２１側の部分が露出することになる。つまり、目地仕上げ材２０を図６における上方から見て、リップ２２のリップ傾斜面２２ｃのうち、一端部２２ａからの距離が大きい部分がスペーサ部２１の先端部２１２の下端よりも表面２１ａ側で露出することになる。したがって、目地仕上げ材２０を図６における上方から見て、リップ２２のリップ傾斜面２２ｃのうち露出する部分と、スペーサ部２１の表面２１ａとの間での段差が抑制される。これにより、建材配置施工後において、先端部２１２の対向端面２１２ａと第２タイル材１２の側面１２１との間に隙間が生じている箇所でも、図６において上方から下方に向けて見た場合に、目地３０における目地仕上げ材２０の外観の仕上がりを良好なものにすることができる。
【００４８】
また、実施の形態２では、図６に示すように、建材配置施工後において、先端部２１２の対向端面２１２ａと第２タイル材１２の側面１２１との間に隙間が生じている箇所では、リップ２２の他端部２２ｂが第２タイル材１２の側面１２１に密着しているので、リップ２２のリップ傾斜面２２ｃにより、目地仕上げ材２０の表側から、スペーサ部２１の先端部２１２と第２タイル材１２の側面１２１との間に浸入してきた水を格納領域２３に速やかに案内することができる。このため、実施の形態２では、実施の形態１と比較して、リップ２２の第２タイル材１２に対する止水効果を高めることができる。つまり、実施の形態２では、実施の形態１と比較して、第１タイル材１１と第２タイル材１２との間の目地３０における止水効果を高めることができる。
【００４９】
以上、実施の形態１〜２について説明したが、プレセット建材１−１，１−２は、密着固定材ｆを第１タイル材１１の側面１１１に形成せずに、目地仕上げ材２０の固定端面２１１ａ上に直接形成しておき、第１タイル材１１の側面１１１と、目地仕上げ材２０の固定端面２１１ａ上に形成された密着固定材ｆとを対向させた状態で密着させて固定することで形成してもよい。
【００５０】
また、建材配置施工を行う際、目地仕上げ材２０がタイル材１０の側面１１１，１２１に密着した状態で固定されているプレセット建材１−１，１−２を用いる代わりに、目地仕上げ材２０と、当該目地仕上げ材２０が固定されていないタイル材１０とを用いて施工してもよい。この場合にも、前述の実施の形態１〜２のプレセット建材１−１，１−２と同様の効果を得ることができる。
【産業上の利用可能性】
【００５１】
以上のように、本発明に係る乾式目地部材は、隣り合って配置されるタイル材どうしの隙間に配置される乾式目地部材として有用である。
【００５２】
また、本発明に係るプレセット建材は、タイル材がコバ面などの側面に予め固定されている建材として有用である。
【符号の説明】
【００５３】
１−１，１−２  プレセット建材
１１      第１タイル材（第１建材）
１１１    第１タイル材の側面
１２      第２タイル材（第２建材）
１２１    第２タイル材の側面
２０      乾式の目地仕上げ材
２１      スペーサ部
２１ｃ    スペーサ傾斜面（案内面）
２１１    基部
２１１ａ  固定端面
２１２    先端部
２１２ａ  対向端面（第２タイル材の側面と対向する端面）
２２      リップ（止水部）
２２ａ    リップの一端部
２２ｂ    リップの他端部
２３      格納領域
３０      目地
【図１】
2012144842.tif 000003
【図２】
2012144842.tif 000004
【図３】
2012144842.tif 000005
【図４】
2012144842.tif 000006
【図５】
2012144842.tif 000007
【図６】
2012144842.tif 000008